(57)【要約】【課題】複数の基地局装置間で使用可能な無線リソースを増加させ、システム運用の効率化を図る。【解決手段】無線ネットワーク制御装置１５０の呼処理部１５１におけるＤＨＯ解除処理部１５３は、ユーザ情報管理部１５２で保持するユーザ端末毎のデータから、所定の基準レートより高い送信レートで通信しながらダイバーシチハンドオーバ状態にあるユーザ端末を検索して抽出する。抽出したユーザ端末の受信品質が所定の基準値以上であれば、基地局装置１００、２００の無線リソース管理部１１０に指示を与え、ダイバーシチハンドオーバ状態を解除する。レート変更処理部１５４は、送信レートが希望レートより低いユーザ端末を検索して無線リソース管理部１１０に指示を与え、ユーザ端末の希望通りの送信レートに変更する。【選択図】　図１
2004104434.tif 000002
【特許請求の範囲】
【請求項１】
基地局装置と移動局であるユーザ端末との間における無線通信制御を行う無線ネットワーク制御装置であって、
前記ユーザ端末と前記基地局装置との間の受信品質を測定する受信品質測定手段と、
前記ユーザ端末毎に、送信レート、消費無線リソース量、前記受信品質測定手段によって測定された受信品質、前記ユーザ端末の希望送信レートを含むユーザ情報を記憶して管理するユーザ情報管理手段と、
前記ユーザ情報管理手段が管理するユーザ情報から、前記基地局装置との無線通信がダイバーシチハンドオーバ状態にあり、かつ所定の受信品質を満たしているユーザ端末を検索し、前記基地局装置に対してダイバーシチハンドオーバ状態の解除、または無線ブランチの一部解放の指示を与えるダイバーシチハンドオーバ処理手段と、
前記ユーザ情報管理手段が管理するユーザ情報から、前記希望送信レートを満たしていないユーザ端末を検索し、前記基地局装置に対して送信レートの変更を指示するレート変更処理手段と、
を備えたことを特徴とする無線ネットワーク制御装置。
【請求項２】
前記ダイバーシチハンドオーバ処理手段は、前記基地局装置に対してダイバーシチハンドオーバの解除を指示する際に、最も受信品質の高い無線ブランチのみを残すことを特徴とする請求項１に記載の無線ネットワーク制御装置。
【請求項３】
前記ダイバーシチハンドオーバ処理手段は、前記基地局装置に対して無線ブランチの解放を指示する際に、所定のしきい値以上の受信品質を有する無線ブランチを残すことを特徴とする請求項１に記載の無線ネットワーク制御装置。
【請求項４】
前記ユーザ情報管理手段は、ユーザ端末毎に所定値以上の送信レートで送信を行うことができた時間を積算して高速通信積算時間として記憶し、
前記レート変更手段は、前記基地局装置に対する送信レートを変更する指示を前記ユーザ情報管理手段に記憶された高速通信積算時間の少ないユーザ端末から順次選択して行うことを特徴とする請求項１に記載の無線ネットワーク制御装置。
【請求項５】
前記ユーザ情報管理手段は、前記ダイバーシチハンドオーバの解除または無線ブランチの一部解放により発生した空き無線リソース量を記憶し、
前記レート変更処理手段は、現在送信している送信レートが希望送信レートを満たしていないユーザ端末を選択する際に、レート変更に伴って消費する消費無線リソース量が前記ユーザ情報管理手段において記憶した空き無線リソース量の範囲内であるユーザ端末についてのみレート変更処理を行うことを特徴とする請求項１に記載の無線ネットワーク制御装置。
【請求項６】
前記レート変更処理手段は、希望する送信レートを満たしていないユーザ端末の送信レートを変更する際に、段階的に送信レートを高速にして希望のレートに近づけていくことを特徴とする請求項１に記載の無線ネットワーク制御装置。
【請求項７】
前記ユーザ情報管理手段で記憶して管理される希望送信レートは、ユーザ端末で測定した受信品質をもとにして決定されることを特徴とする請求項１に記載の無線ネットワーク制御装置。
【請求項８】
前記ダイバーシチハンドオーバ処理手段は、前記基地局装置において無線リソース不足を原因とする呼損を確認したときにのみ、前記ダイバーシチハンドオーバの解除を前記基地局装置に指示することを特徴とする請求項１に記載の無線ネットワーク制御装置。
【請求項９】
基地局装置と移動局であるユーザ端末との間における無線通信制御方法であって、
前記ユーザ端末毎に記憶した、送信レート、消費無線リソース量、受信品質、希望送信レートを含むユーザ情報から、所定の基準レートより高い送信レートで通信しているユーザ端末を検索する高送信レート端末検索ステップと、
前記検索された高い送信レートで通信しているユーザ端末の中で、ダイバーシチハンドオーバ状態にあり、かつ所定の受信品質を満たしているユーザ端末を検索するダイバーシチハンドオーバ端末検索ステップと、
前記検索されたダイバーシチハンドオーバ状態にあるユーザ端末のダイバーシチハンドオーバ状態を解除するか、または無線ブランチの一部を解放する指示を前記基地局装置に対して与えるダイバーシチハンドオーバ処理ステップと、
前記ユーザ情報から現在送信している送信レートが希望送信レートより低いユーザ端末を検索する低送信レート端末検索ステップと、
前記検索された希望送信レートより低いユーザ端末の送信レートを変更する指示を前記基地局装置に対して与えるレート変更処理ステップと、
を有することを特徴とする無線通信制御方法。
【請求項１０】
前記ダイバーシチハンドオーバ処理ステップにおいて、前記基地局装置に対してダイバーシチハンドオーバの解除を指示する際に、最も受信品質の高い無線ブランチのみを残すことを特徴とする請求項９に記載の無線通信制御方法。
【請求項１１】
前記ダイバーシチハンドオーバ処理ステップにおいて、前記基地局装置に対して無線ブランチの解放を指示する際に、所定のしきい値以上の受信品質を有する無線ブランチを残すことを特徴とする請求項９に記載の無線通信制御方法。
【請求項１２】
前記レート変更処理ステップにおいて、ユーザ端末毎に所定値以上の送信レートで送信を行うことができた時間を積算して高速通信積算時間として記憶し、前記高速通信積算時間の少ないユーザ端末から順次選択して前記送信レートの変更を行うことを特徴とする請求項９に記載の無線通信制御方法。
【請求項１３】
前記レート変更処理ステップにおいて、前記ダイバーシチハンドオーバの解除または無線ブランチの一部解放により発生した空き無線リソース量を記憶し、現在送信している送信レートが希望送信レートを満たしていないユーザ端末を選択する際に、レート変更に伴って消費する消費無線リソース量が前記空き無線リソース量の範囲内であるユーザ端末についてのみ前記送信レートの変更を行うことを特徴とする請求項９に記載の無線通信制御方法。
【請求項１４】
前記レート変更処理ステップにおいて、希望する送信レートを満たしていないユーザ端末の送信レートを変更する際に、段階的に送信レートを高速にして希望のレートに近づけていくことを特徴とする請求項９に記載の無線通信制御方法。
【請求項１５】
前記ダイバーシチハンドオーバ処理ステップにおいて、前記基地局装置において無線リソース不足を原因とする呼損を確認したときにのみ、前記ダイバーシチハンドオーバの解除を前記基地局装置に指示することを特徴とする請求項９に記載の無線通信制御方法。
【発明の詳細な説明】
【０００１】
【発明の属する技術分野】
本発明は、移動通信システムの無線ネットワーク制御装置に関し、特にＣＤＭＡ（Ｃｏｄｅ　Ｄｉｖｉｓｉｏｎ　Ｍｕｌｔｉｐｌｅ　Ａｃｃｅｓｓ；　符号分割多重接続）方式などの無線通信において移動局である携帯電話機等のユーザ端末と基地局装置との間における呼制御を行う無線ネットワーク制御装置及び無線通信制御方法に関する。
【０００２】
【従来の技術】
ＣＤＭＡ方式の移動通信システムにおいては、従来主として行われていた音声通信サービスのみならず、パケット通信サービスや動画像通信サービス、或いは、それらの組み合わせによるマルチコールサービスなど、様々なサービスが存在する。これらのパケット通信サービスや動画像通信サービス等は、音声通信サービスに比べて伝送レートが大きくなり、これに伴って必要とする無線リソース量も増大する。
【０００３】
また、ＣＤＭＡ方式では、端末と複数のセル間で無線リンクを設定し、複数の無線リンクによる受信信号を合成することにより、単一無線リンクによる受信信号よりも受信品質を向上させることができる。しかし、複数の無線リンクを複数の基地局装置間にまたがって設定するダイバーシチハンドオーバを行っている場合、これら複数の基地局装置ではそれぞれ同量の無線リソースを消費していることになる。
【０００４】
移動通信システムにおけるハンドオーバ方式に関しては、特開平９−１３５４７７号公報にその一例が開示されている。この従来例では、輻輳している基地局エリアにおいて、警察、消防などの優先呼発信の要求に通話チャネルを割り当てるために、あるユーザ端末の無線チャネルを強制的に隣接する基地局に切り替えるようにしている。
【０００５】
【特許文献１】
特開平９−１３５４７７号公報
【０００６】
【発明が解決しようとする課題】
しかしながら、上記した従来例では次のような課題がある。例えば、ある基地局装置において呼接続数が増加している状況の下で、無線リソースを多く消費する高速レートのサービスが行われると、システムに保持する無線リソース量は有限であるので、呼損になる可能性が高くなる。このように、呼接続数が増加して無線リソース量が残り少なくなった状況では、隣接する基地局装置においても同様に残りの無線リソース量が少なくなっている可能性が高い。警察や消防などのように優先度は高いが発呼数が少なく、かつ必要な無線リソース量も比較的小さい呼については、隣接する基地局装置に移動できる可能性が高いが、無線リソース量を多く消費する高速レートの呼については、隣接する基地局装置に移動する方法によって空き無線リソースを生成することに限界がある。
【０００７】
本発明は、上記事情に鑑みてなされたもので、その目的は、複数の基地局装置間で使用可能な無線リソースを増加させ、システム運用の効率化を図ることができる無線ネットワーク制御装置及び無線通信制御方法を提供することにある。
【０００８】
【課題を解決するための手段】
本発明に係る無線ネットワーク制御装置は、基地局装置と移動局であるユーザ端末との間における無線通信制御を行う無線ネットワーク制御装置であって、前記ユーザ端末と前記基地局装置との間の受信品質を測定する受信品質測定手段と、前記ユーザ端末毎に、送信レート、消費無線リソース量、前記受信品質測定手段によって測定された受信品質、前記ユーザ端末の希望送信レートを含むユーザ情報を記憶して管理するユーザ情報管理手段と、前記ユーザ情報管理手段が管理するユーザ情報から、前記基地局装置との無線通信がダイバーシチハンドオーバ状態にあり、かつ所定の受信品質を満たしているユーザ端末を検索し、前記基地局装置に対してダイバーシチハンドオーバ状態の解除、または無線ブランチの一部解放の指示を与えるダイバーシチハンドオーバ処理手段と、前記ユーザ情報管理手段が管理するユーザ情報から、前記希望送信レートを満たしていないユーザ端末を検索し、前記基地局装置に対して送信レートの変更を指示するレート変更処理手段と、を備えたことを特徴とする。
【０００９】
上記構成によれば、受信品質が十分に良好な高速レートでダイバーシチハンドオーバ状態にあるユーザ端末の無線リソースの一部を解放し、他のユーザ端末の伝送レートを変更することにより、システム内に多数存在する低レートで通信を行っているユーザ端末の受信品質に影響を与えることなく、システム全体で使用可能な無線リソース量を増加させることができる。また、高速レートで通信を行うユーザ端末の無線ブランチを限定することにより、他のユーザ端末に対する干渉量を減らすことが可能となる。
【００１０】
また、前記ダイバーシチハンドオーバ処理手段は、前記基地局装置に対してダイバーシチハンドオーバの解除を指示する際に、最も受信品質の高い無線ブランチのみを残すことを特徴とする。
【００１１】
上記構成によれば、残す無線ブランチ数を最少限にすることにより、新たに生成する無線リソース量を最大にすることができる。
【００１２】
また、前記ダイバーシチハンドオーバ処理手段は、前記基地局装置に対して無線ブランチの解放を指示する際に、所定のしきい値以上の受信品質を有する無線ブランチを残すことを特徴とする。
【００１３】
上記構成によれば、必要以上に無線ブランチの解放を行うことを防ぎ、その後に起こり得るユーザ端末の受信品質の極端な劣化を未然に防止できる。
【００１４】
また、前記ユーザ情報管理手段は、ユーザ端末毎に所定値以上の送信レートで送信を行うことができた時間を積算して高速通信積算時間として記憶し、前記レート変更手段は、前記基地局装置に対する送信レートを変更する指示を前記ユーザ情報管理手段に記憶された高速通信積算時間の少ないユーザ端末から順次選択して行うことを特徴とする。
【００１５】
上記構成によれば、高速レートに変更することのできるユーザ端末を偏りなく選択することができ、ユーザ端末間における伝送レートの平準化を図ることが可能となる。
【００１６】
また、前記ユーザ情報管理手段は、前記ダイバーシチハンドオーバの解除または無線ブランチの一部解放により発生した空き無線リソース量を記憶し、前記レート変更処理手段は、現在送信している送信レートが希望送信レートを満たしていないユーザ端末を選択する際に、レート変更に伴って消費する消費無線リソース量が前記ユーザ情報管理手段において記憶した空き無線リソース量の範囲内であるユーザ端末についてのみレート変更処理を行うことを特徴とする。
【００１７】
上記構成によれば、新たに生成した無線リソースの制限を越えて高速レートに変更することにより、呼損が発生する事態を回避することができる。
【００１８】
また、前記レート変更処理手段は、希望する送信レートを満たしていないユーザ端末の送信レートを変更する際に、段階的に送信レートを高速にして希望のレートに近づけていくことを特徴とする。
【００１９】
上記構成によれば、段階的に送信レートを変更するので、他のユーザ端末に対する干渉量による影響を小さくすることができる。
【００２０】
また、前記ユーザ情報管理手段で記憶して管理される希望送信レートは、ユーザ端末で測定した受信品質をもとにして決定されることを特徴とする。
【００２１】
上記の構成によれば、呼接続の状況に応じて随時希望送信レートを設定するので、他のユーザ端末に対する干渉量の影響を小さくすることができる。
【００２２】
また、前記ダイバーシチハンドオーバ処理手段は、前記基地局装置において無線リソース不足を原因とする呼損を確認したときにのみ、前記ダイバーシチハンドオーバの解除を前記基地局装置に指示することを特徴とする。
【００２３】
上記構成によれば、必要以上にダイバーシチハンドオーバ状態を解除することによって起こり得る受信品質の劣化や、別の呼損が発生することを回避することが可能となる。
【００２４】
本発明に係る無線通信制御方法は、基地局装置と移動局であるユーザ端末との間における無線通信制御方法であって、前記ユーザ端末毎に記憶した、送信レート、消費無線リソース量、受信品質、希望送信レートを含むユーザ情報から、所定の基準レートより高い送信レートで通信しているユーザ端末を検索する高送信レート端末検索ステップと、前記検索された高い送信レートで通信しているユーザ端末の中で、ダイバーシチハンドオーバ状態にあり、かつ所定の受信品質を満たしているユーザ端末を検索するダイバーシチハンドオーバ端末検索ステップと、前記検索されたダイバーシチハンドオーバ状態にあるユーザ端末のダイバーシチハンドオーバ状態を解除するか、または無線ブランチの一部を解放する指示を前記基地局装置に対して与えるダイバーシチハンドオーバ処理ステップと、前記ユーザ情報から現在送信している送信レートが希望送信レートより低いユーザ端末を検索する低送信レート端末検索ステップと、前記検索された希望送信レートより低いユーザ端末の送信レートを変更する指示を前記基地局装置に対して与えるレート変更処理ステップと、を有することを特徴とする。
【００２５】
上記手順によれば、受信品質が十分に良好な高速レートでダイバーシチハンドオーバ状態にあるユーザ端末の無線リソースの一部を解放し、他のユーザ端末の伝送レートを変更することにより、システム内に多数存在する低レートで通信を行っているユーザ端末の受信品質に影響を与えることなく、システム全体で使用可能な無線リソース量を増加させることができる。
【００２６】
また、前記ダイバーシチハンドオーバ処理ステップにおいて、前記基地局装置に対してダイバーシチハンドオーバの解除を指示する際に、最も受信品質の高い無線ブランチのみを残すことを特徴とする。
【００２７】
上記手順によれば、残す無線ブランチ数を最少限にすることにより、新たに生成する無線リソース量を最大にすることができる。
【００２８】
また、前記ダイバーシチハンドオーバ処理ステップにおいて、前記基地局装置に対して無線ブランチの解放を指示する際に、所定のしきい値以上の受信品質を有する無線ブランチを残すことを特徴とする。
【００２９】
上記手順によれば、必要以上に無線ブランチの解放を行うことを防ぎ、その後に起こり得るユーザ端末の受信品質の極端な劣化を未然に防止できる。
【００３０】
また、前記レート変更処理ステップにおいて、ユーザ端末毎に所定値以上の送信レートで送信を行うことができた時間を積算して高速通信積算時間として記憶し、前記高速通信積算時間の少ないユーザ端末から順次選択して前記送信レートの変更を行うことを特徴とする。
【００３１】
上記手順によれば、高速レートに変更することのできるユーザ端末を偏りなく選択することができ、ユーザ端末間における伝送レートの平準化を図ることが可能となる。
【００３２】
また、前記レート変更処理ステップにおいて、前記ダイバーシチハンドオーバの解除または無線ブランチの一部解放により発生した空き無線リソース量を記憶し、現在送信している送信レートが希望送信レートを満たしていないユーザ端末を選択する際に、レート変更に伴って消費する消費無線リソース量が前記空き無線リソース量の範囲内であるユーザ端末についてのみ前記送信レートの変更を行うことを特徴とする。
【００３３】
上記手順によれば、新たに生成した無線リソースの制限を越えて高速レートに変更することにより、呼損が発生する事態を回避することができる。
【００３４】
また、前記レート変更処理ステップにおいて、希望する送信レートを満たしていないユーザ端末の送信レートを変更する際に、段階的に送信レートを高速にして希望のレートに近づけていくことを特徴とする。
【００３５】
上記手順によれば、段階的に送信レートを変更するので、他のユーザ端末に対する干渉量による影響を小さくすることができる。
【００３６】
また、前記ダイバーシチハンドオーバ処理ステップにおいて、前記基地局装置において無線リソース不足を原因とする呼損を確認したときにのみ、前記ダイバーシチハンドオーバの解除を前記基地局装置に指示することを特徴とする。
【００３７】
上記手順によれば、必要以上にダイバーシチハンドオーバ状態を解除することによって起こり得る受信品質の劣化や、別の呼損が発生することを回避することができる。
【００３８】
【発明の実施の形態】
以下、図面を参照して本発明の実施形態を説明する。
本発明では、移動通信システムにおいて、受信品質を十分に維持しながらダイバーシチハンドオーバを行っているユーザ端末がシステム内に複数存在する場合、これらユーザ端末の一部のダイバーシチハンドオーバ状態を解除して、複数の基地局装置において使用可能な無線リソースを増加させる。そして、利用可能となった無線リソースを、高速にデータを受信する必要があるユーザ端末に割り当てることにより、ユーザ端末が受信する平均的なデータ伝送レートを高くし、システム容量を増加させ、システム運用の効率化を図るようにする。
【００３９】
図１は、本発明の一実施形態に係る基地局装置及び無線ネットワーク制御装置の構成を示すブロック図である。これらの基地局装置及び無線ネットワーク制御装置と、図示しない移動局であるユーザ端末、例えば携帯電話機と共に移動通信システムを形成している。
【００４０】
基地局装置１００は、アンテナ１０１、アンテナ共用器１０２、受信ＲＦ部１０３、復調部１０４、分離部１０５、送信制御部１０６、変調部１０７、コード多重部１０８、送信ＲＦ部１０９、及び無線リソース管理部１１０を有して構成される。
【００４１】
この基地局装置１００において、受信動作は次のように行われる。アンテナ１０１で受信したユーザ端末からの信号は、アンテナ共用器１０２を介して受信ＲＦ部１０３に送られる。受信信号は受信ＲＦ部１０３で増幅され、中間周波数またはベースバンド周波数に周波数変換される。周波数変換された受信信号は、復調部１０４で復調されて分離部１０５に送られ、受信データと送信電力制御のための信号に分離される。
【００４２】
一方、送信動作は次のように行われる。分離部１０５から送られる送信電力情報と送信データは、送信制御部１０６でフレーム化されて変調部１０７に送られる。送信データは変調部１０７で変調された後、他のユーザ端末からの変調信号とコード多重部１０８において多重化され、送信ＲＦ部１０９に送られる。送信ＲＦ部１０９で周波数変換され、さらに増幅された送信データは、アンテナ共用器１０２を介してアンテナ１０１から送信される。
【００４３】
また、無線リソース管理部１１０は、後述する無線ネットワーク制御装置１５０の呼処理部１５１からの指示により、ユーザ端末毎に無線リソースの割り当てや解放、伝送レートの変更を行う。
【００４４】
無線ネットワーク制御装置１５０は、少なくとも１つ以上の基地局装置、図１の例では基地局１００及び基地局装置２００と接続され、呼処理部１５１、受信品質測定部（受信品質測定手段）１５５、複製部１５６を有して構成される。
【００４５】
呼処理部１５１は、ユーザ情報管理部（ユーザ情報管理手段）１５２、ダイバーシチハンドオーバ解除処理部（ダイバーシチハンドオーバ処理手段）１５３、レート変更処理部（レート変更処理手段）１５４を有して構成され、基地局装置１００、２００の各無線リソース管理部１１０に対して、呼の設定や解放、すなわち無線リソースの設定や解放、伝送レートの変更などを指示する。なお、以下の明細書や図面において、ダイバーシチハンドオーバをＤＨＯと略記することもある。
【００４６】
受信品質測定部１５５は、各基地局装置１００、２００におけるユーザ端末毎の受信信号の品質を測定し、測定した結果を呼処理部１５１のユーザ情報管理部１５２に送って記憶させる。測定する受信品質には、例えば、ビット誤り率（ＢＥＲ）、ブロック誤り率（ＢＬＥＲ）等がある。また、受信したデータを合成して交換機等の上位装置に送信する機能を有する。
【００４７】
複製部１５６は、基地局装置１００、２００に対する送信データを複製して、ダイバーシチハンドオーバを行っている複数の基地局装置に対して送信する。
【００４８】
次に、呼処理部１５１の動作について説明する。呼処理部１５１のユーザ情報管理部１５２は、表１に示すようなユーザ端末毎の情報、例えば、現在の送信レート、消費無線リソース、各基地局装置の受信品質、希望送信レート等のデータを記憶して管理する。なお、以下の表において、複数のユーザ端末をそれぞれ＃１〜＃ｎで表し、基地局装置１００、２００などに相当する各ユーザ端末の通信相手を基地局Ｂ１〜Ｂ３で表している。
【００４９】
【表１】
2004104434.tif 000003
【００５０】
表１から次のことが分かる。例えば、＃１のユーザ端末の場合、現在１２８ｋｂｐｓで送信しており、１つの基地局当たりの消費無線リソース量は４０である。さらに、３つの基地局Ｂ１〜Ｂ３との受信品質は、それぞれ１０、８、７であり、基地局Ｂ１〜Ｂ３との間でダイバーシチハンドオーバ状態にあることを示している。なお、受信品質は、ＣＲＣ結果、ＢＥＲやＢＬＥＲ等を１０段階の数値に換算して評価し、値が大きいほど受信品質が良好であるとする。この受信品質は、受信品質測定部１５５からの結果によって定期的に更新される。
【００５１】
また、＃１のユーザ端末の希望下り送信レートは２５６ｋｂｐｓであり、現在の送信レート１２８ｋｂｐｓは希望値以下であることがわかる。この希望下り送信レートは、各ユーザ端末において測定した受信品質を基にして設定され、無線ネットワーク制御装置１５０に通知する。受信可能な下り送信レートは、ユーザ端末において受信した搬送波と妨害波の電力比を基準に設定する。搬送波と妨害波の比率が大きい場合は、高速レートに変更しても誤りなくデータを伝送できるので、高い伝送速度でデータを受信することができる。
【００５２】
＃１のユーザ端末の場合、１つの基地局当たりの消費無線リソース量は４０であり、これはダイバーシチハンドオーバを行っている基地局Ｂ１〜Ｂ３の間で等しく消費される。同様に、＃２〜＃ｎのユーザ端末について各基地局当たりの消費無線リソース量を換算すると、表２に示すように、基地局Ｂ１〜Ｂ３においてそれぞれ３４５、３３５、３２５となる。
【００５３】
【表２】
2004104434.tif 000004
【００５４】
次に、呼処理部１５１のＤＨＯ解除処理部１５３におけるダイバーシチハンドオーバ解除の手順について、図２のフローチャートと表１のデータ例を参照しながら具体的に説明する。
【００５５】
まず、ユーザ情報管理部１５２に記憶されている情報から所定の基準レートより高い送信レートで通信しているユーザ端末を検索して抽出する（ステップＳ３１）。表１の例で基準レートが１２８ｋｂｐｓに設定されていたとすれば、抽出される対象のユーザ端末は＃１，＃３，＃６，＃ｎである。ここで、基準レートとは、ダイバーシチハンドオーバ状態を解除する分界点となるレートであり、基準レート以上で伝送しているユーザ端末がダイバーシチハンドオーバ状態の解除対象となる。従って、比較的低いレートを設定すると、システム内のほとんどのユーザ端末がダイバーシチハンドオーバ状態を解除され、ダイバーシチハンドオーバの効果を失ってしまって受信品質が著しく劣化するおそれがあるので、解除対象のユーザ端末数が限られるような比較的高いレートに設定するのが望ましい。
【００５６】
次に、抽出されたユーザ端末の中でダイバーシチハンドオーバ状態にあるユーザ端末を検索して抽出する（ステップＳ３２）。表１の例では、ステップＳ３１で抽出されたユーザ端末の全てがダイバーシチハンドオーバ状態をとっている。そして、ダイバーシチハンドオーバ状態にあるユーザ端末それぞれについて、通信を行っている各基地局装置毎の受信品質の最低値が所定の基準値以上であるか否かをチェックする（ステップＳ３３）。ここで、基準値以上である場合はステップＳ３１に戻ることにより、各基地局装置毎の受信品質の最低値が基準値以上であるユーザ端末のみを残す。表１の例で、例えば受信品質の基準値が７に設定されていたとすれば、該当するユーザ端末は＃１，＃３，＃６となる。
【００５７】
続いて、基地局装置１００、２００の無線リソース管理部１１０に指示を与え、当該ユーザ端末のダイバーシチハンドオーバ状態を解除する（ステップＳ３４）。このとき、解除するダイバーシチハンドオーバ状態の無線ブランチは、基地局装置からの受信品質が低いものから順に選び、最も受信品質が高いブランチを１つだけ残すようにする。なお、受信品質に基準値を用いているのは、ダイバーシチハンドオーバ状態であってもその時の受信品質が低ければ、無理にダイバーシチハンドオーバの解除を行うことにより、ユーザ端末自体の無線リンクが切れてしまうことを防止するためである。このように、ダイバーシチハンドオーバの解除は、受信品質が良好な無線ブランチを保持しながらダイバーシチハンドオーバを行っているユーザ端末のみを対象とする。
【００５８】
表１の例では、ユーザ端末＃１、＃３、＃６のダイバーシチハンドオーバ状態が解除され、最も受信品質の高い基地局装置との無線ブランチのみを残すと、ユーザ情報管理部１５２で管理するデータは、表３及び表４に示すようになる。
【００５９】
【表３】
2004104434.tif 000005
【００６０】
【表４】
2004104434.tif 000006
【００６１】
表４は、基地局装置毎の消費無線リソース量を表したもので、表２の場合に比較して基地局Ｂ１〜Ｂ３全ての消費無線リソース量が大幅に減少している。これは、使用可能となる無線リソースが新たに生成されたことを意味する。
【００６２】
次に、呼処理部１５１のレート更新処理処理部１５４におけるレート更新処理の手順について、図３のフローチャートと表３のデータ例を参照しながら具体的に説明する。このレート更新処理は、ＤＨＯ解除処理部１５３におけるダイバーシチハンドオーバ解除処理の後に行われる。
【００６３】
まず、現在送信しているレートが希望送信レートより低いユーザ端末を検索して抽出する（ステップＳ４１）。表３の例で、希望送信レートが現在の送信レートより高いユーザ端末は、＃１、＃５、＃６である。
【００６４】
次いで、基地局装置１００、２００の無線リソース管理部１１０に指示を与え、該当するユーザ端末の送信レートを希望通りに高くするように更新する（ステップＳ４２）。表３の例では、＃１、＃５、＃６全てのユーザ端末の送信レートを希望通りに高くする。これにより、ユーザ情報管理部１５２において、ダイバーシチハンドオーバ解除及びレート変更処理を行った後に記憶されるデータは、表５及び表６に示すようになる。
【００６５】
【表５】
2004104434.tif 000007
【００６６】
【表６】
2004104434.tif 000008
【００６７】
表１と表５、表２と表６をそれぞれ比較すると、次のことが明らかになる。
ダイバーシチハンドオーバ解除及びレート変更処理を行う前の状態を示す表１では、希望通りの送信レートで受信できていないユーザ端末が３つある。これに対し、図２及び図３に示した処理手順を実施した後の表５では、全ユーザ端末が希望通りの送信レートで受信できている。
【００６８】
また、各基地局装置の無線リソース量の合計は、ダイバーシチハンドオーバ解除及びレート変更処理を行う前は表２に示すように１００５だったのに対し、図２及び図３に示した処理手順を実行した後の表６では、８７５に減少させることができた。
【００６９】
このように、本実施形態の構成及び手順によれば、受信品質が十分に良好な高速レートでダイバーシチハンドオーバ状態にあるユーザ端末の無線リソースの一部を解放することにより、他のユーザ端末の平均的な伝送レートを向上させることができる。さらに、システム全体の無線リソース量を効率よく消費でき、システム容量を増加させることができる。
【００７０】
なお、ＤＨＯ解除処理部１５３は、基地局装置１００、２００の無線リソース管理部１１０に対して、ダイバーシチハンドオーバ状態にあり、かつ所定の受信品質を満たしているユーザ端末にダイバーシチハンドオーバ解除の指示を与える構成としたが、ダイバーシチハンドオーバ状態を維持しつつ無線ブランチの一部を解放するように指示してもよい。その際、解放する無線ブランチは、システムで保持する所定のしきい値を設け、このしきい値以上の良好な受信品質を有する無線ブランチを残すようにすればよい。これにより、無条件にダイバーシチハンドオーバ状態を解除したり、必要以上に無線ブランチの解放を行ったがために、受信品質の劣化を招くことがないようにすることができる。
【００７１】
また、ＤＨＯ解除処理部１５３による検索されたユーザ端末に対するダイバーシチハンドオーバ状態の解除指示は、基地局装置１００、２００において無線リソースの不足が原因で呼損が発生したときにのみ行うようにしてもよい。これにより、必要以上にダイバーシチハンドオーバ状態を解除することによって起こり得る受信品質の劣化や、別の呼損が発生することを回避することができる。
【００７２】
また、レート変更処理部１５４において、伝送レートを更新するユーザ端末を選択する場合、現在送信しているレートが希望送信レートを満たしていないユーザ端末の全てを対象にして検索したが、これまであまり高レートサービスを受けていないユーザ端末から優先的に選択するようにしてもよい。例えば、ユーザ情報管理部１５２において、ユーザ端末毎に所定時間内で所定のレート以上の送信を行うことができた時間を積算して記憶し、積算時間の少ないからユーザから順次選択するようにする。これにより、高速レートに変更することのできるユーザ端末を偏りなく選択することができ、伝送レートの平準化を図ることが可能となる。
【００７３】
また、レート変更処理部１５４において、伝送レートを更新するユーザ端末を選択して希望の送信レートに変更する際に、段階的に送信レートを高速にして希望の送信レートに近づけていくようにしてもよい。これにより、他のユーザ端末に対する干渉を小さくすることができる。
【００７４】
さらに、レート変更処理部１５４におけるレート更新処理は、ダイバーシチハンドオーバを解除することによって新たに発生した使用可能な無線リソース量を考慮し、この無線リソース量の範囲内でレート更新を行うようにしてもよい。例えば、ダイバーシチハンドオーバを解除することにより発生した無線リソース量をユーザ情報管理部１５２において記憶し、現在送信しているレートが希望送信レートを満たしていないユーザ端末を選択する際に、レート変更に伴って消費する無線リソースが記憶した無線リソースの範囲内であるユーザ端末についてのみレート変更処理を行う。これによって、新たに生成した無線リソースの制限を越えて高速レートに変更した場合に起こり得る、呼損の事態を回避することができる。
【００７５】
上述したように、本実施形態では、十分通信品質の良好なダイバーシチハンドオーバを行っているユーザ端末がシステム内に複数存在する場合、これらのユーザ端末のダイバーシチハンドオーバ状態を解除したり無線リソースの一部を解放することで、複数の基地局装置間で使用可能な無線リソースを増加させる。そして、増加させた無線リソースを高速にデータを受信することが可能な他のユーザ端末に割り当てて伝送レートを変更することにより、ユーザ端末が受信する平均的なデータ伝送レートを高くすることができ、システム全体の容量を増大させることができるため、システム運用の効率化を図ることが可能となる。
【００７６】
【発明の効果】
以上説明したように本発明によれば、複数の基地局装置間で使用可能な無線リソースを増加させ、システム運用の効率化を図ることができる無線ネットワーク制御装置を提供可能である。
【図面の簡単な説明】
【図１】本発明の一実施形態に係る基地局装置及び無線ネットワーク制御装置の構成を示すブロック図
【図２】本発明の実施形態に係るダイバーシチハンドオーバ解除処理の手順を示すフローチャート
【図３】本発明の実施形態に係るレート更新処理の手順を示すフローチャート
【符号の説明】
１００、２００　基地局装置
１１０　無線リソース管理部
１５０　無線ネットワーク制御装置
１５１　呼処理部
１５２　ユーザ情報管理部
１５３　ダイバーシチハンドオーバ（ＤＨＯ）解除処理部
１５４　レート変更処理部
１５５　受信品質測定部
１５６　複製部
【図１】
2004104434.tif 000009
【図２】
2004104434.tif 000010
【図３】
2004104434.tif 000011